(57)【要約】  コネクタ用のシールド組立体を供給するための方法および装置を提供する。  シールド組立体は、コネクタを囲むためのカバーとケーブルの一部の外面を囲むことができるネック部分を備える。ネック部分の内面は、ケーブルの外面と接触している。ケーブルが高周波信号を運んでいる場合には、電磁信号漏洩を低減するために、ネック部分とケーブルの外部シールドとの間に容量性インピーダンスが供給される。別の方法としては、ネック部分の内面から突き出している素子により、またはケーブルの絶縁ジャケットを除去することにより、ネック部分をケーブル・シールドと電気的に接触させることができる。
2005510008.tif 000002
【特許請求の範囲】
【請求項１】
シャーシのポートに接続しているコネクタ用のシールド組立体であって、
前記ケーブルが前記コネクタから延び、
前記シールド組立体が、
前記コネクタを囲むためのチャンバを形成しているカバーと、
前記カバーを前記シャーシに取り付けることができる取付け機構と、
前記チャンバの幅より狭い幅を有する開口部を有するケーブル係合本体と、
を備え、
該開口部が該前記ケーブルの一部の外面を囲むように構成されたシールド組立体。
【請求項２】
前記カバーが導体材料からできている、請求項１に記載のシールド組立体。
【請求項３】
前記ケーブル係合本体が、前記カバーから延びるネック部分を備える、請求項１に記載のシールド組立体。
【請求項４】
前記ケーブル係合本体が前記カバーと一体に形成されている、請求項１に記載のシールド組立体。
【請求項５】
前記ケーブル係合本体が、前記カバーの外部幅より狭い外部幅を有する、請求項４に記載のシールド組立体。
【請求項６】
前記ケーブル係合本体が、前記開口部を形成している内面を備え、前記ケーブル係合本体の内面が前記ケーブルの外面と接触することができるように、前記開口部の幅が前記ケーブルの幅とほぼ同じである、請求項１に記載のシールド組立体。
【請求項７】
前記ケーブル係合本体が、前記ケーブル係合本体が前記ケーブルのシールドに容量的に結合することができるように、導体材料の少なくとも一部のところに形成されている、請求項６に記載のシールド組立体。
【請求項８】
前記ケーブル係合本体が、前記ケーブル係合本体と前記ケーブルのシールドとの間に電気接続が行われるように、前記ケーブルの外部ジャケットを貫通することができる導電素子を備える、請求項６に記載のシールド組立体。
【請求項９】
前記開口部が所定の長さを有し、前記開口部が前記所定の長さに沿って前記ケーブルの一部の外面を囲むことができる、請求項１に記載のシールド組立体。
【請求項１０】
前記開口部が、全体的に円形、楕円形、長方形および正方形からなるグループから選択した断面の形を有する、請求項１に記載のシールド組立体。
【請求項１１】
前記開口部が、閉じ多角形を形成する断面の形を有する、請求項１に記載のシールド組立体。
【請求項１２】
シャーシ内のポートと係合するためのコネクタ組立体であって、
ハウジングを有するコネクタを備え、該コネクタが前記ポートと係合することができ、さらに、
前記コネクタから延びるケーブルと、
前記コネクタ・ハウジングを囲むことができるシュラウドと、を備え、
該シュラウドが前記シャーシに電気的に接触するための導電性の第１の端部と前記ケーブルを収容するために内部開口部を有するケーブル係合本体と、を備え、該ケーブル係合本体が前記ケーブルの外面と接触している内面を有するコネクタ組立体。
【請求項１３】
前記ケーブル係合本体が、前記シュラウドのもう１つの部分の外部幅より狭い外部幅を有するネック部分を備える、請求項１２に記載のコネクタ組立体。
【請求項１４】
前記ケーブルがシールドおよび外部絶縁層を備え、前記ケーブル係合本体の内面が、少なくとも外部絶縁層を通して前記ケーブル・シールドに容量的に接続している、請求項１２に記載のコネクタ組立体。
【請求項１５】
前記ケーブル内で所定の周波数での信号の送信に応じて、前記ケーブル係合本体と前記ケーブル・シールドとの間に容量性インピーダンスが供給される、請求項１４に記載のコネクタ組立体。
【請求項１６】
前記シュラウドが、前記コネクタが位置するチャンバを形成し、前記内部開口部の幅が前記チャンバの幅より狭い、請求項１２に記載のコネクタ組立体。
【請求項１７】
前記ケーブル係合本体が所定の長さを有し、前記ケーブル係合本体が、前記所定の長さに沿って前記ケーブルの一部を囲んでいる、請求項１２に記載のコネクタ組立体。
【請求項１８】
さらに、前記シュラウドを前記シャーシに取り付けることができる取付け機構を備える、請求項１２に記載のコネクタ組立体。
【請求項１９】
さらに、前記シュラウドと前記シャーシとの間の電気接触を改善するために、前記シュラウドの表面と接触している電磁障害ガスケットを備える、請求項１８に記載のコネクタ組立体。
【請求項２０】
前記ケーブルが外部絶縁ジャケットとシールドとを備え、前記ケーブル係合本体が、前記ケーブル係合本体の内面から突き出ている少なくとも１つの貫通素子を有し、該貫通素子が、前記ケーブル・シールドと電気的に接触するために、前記ケーブルの外部ジャケットを貫通することができる、請求項１２に記載のコネクタ組立体。
【請求項２１】
前記コネクタが、前記コネクタ・ハウジング内に位置する１つまたはそれ以上の接点を備える、請求項１２に記載のコネクタ組立体。
【請求項２２】
前記ケーブルがシールドを備え、前記コネクタ・ハウジングが前記シールドに電気的に接触している、請求項２１に記載のコネクタ組立体。
【請求項２３】
前記ケーブルが外部シールドを有し、前記ケーブル係合本体の内面が前記外部シールドと電気的に接触している、請求項２１に記載のコネクタ組立体。
【請求項２４】
電磁障害を低減するための方法であって、
ハウジングを有するコネクタを供給するステップと、
前記コネクタ・ハウジングをケーブルのシールドに電気的に接触させるステップと、
前記コネクタをシュラウドで囲い込むステップと、
前記シュラウドの一部の内面を前記コネクタから延びる前記ケーブルの外面と接触させるステップとを含む方法。
【請求項２５】
前記ケーブルにより所定の周波数で信号を送るステップと、
電磁漏洩を低減するために、前記シュラウドの一部と前記ケーブル・シールドとの間に容量性インピーダンスを供給するステップとをさらに含む、請求項２４に記載の方法。
【請求項２６】
前記シュラウドの一部の内面を前記ケーブルの外面と接触させるステップが、前記内面を前記ケーブル・シールドに接触させるステップを含む、請求項２４に記載の方法。
【請求項２７】
前記ケーブル・シールドを接触させるステップが、貫通素子で前記ケーブルの外部ジャケットを貫通するステップを含み、前記貫通素子が、前記シュラウドの一部と前記ケーブル・シールドとを電気的に接続するために導電性である、請求項２６に記載の方法。
【請求項２８】
前記シュラウドの一部が前記ケーブル・シールドに接触することができるように、前記ケーブルの外部ジャケットの少なくとも一部を除去するステップをさらに含む、請求項２６に記載の方法。
【請求項２９】
システムであって、
ポートを形成する構造を有するシャーシと、
前記ポートと係合することができるコネクタと、
前記コネクタから延びるケーブルと、を備え、該ケーブルがシールドを有し、前記コネクタが前記構造および前記シールドに電気的に接触しているハウジングを有し、さらに、
前記コネクタを取り囲むシュラウドを備えるシステム。
【請求項３０】
前記シュラウドが、前記ケーブルの外面を囲む孔部を形成している部分を有する、請求項２９に記載のシステム。
【請求項３１】
前記シュラウドの一部と前記ケーブル・シールドとの間に容量接続が行われる、請求項３０に記載のシステム。
【請求項３２】
前記シュラウドの一部がネック部分を備える、請求項３１に記載のシステム。
【発明の詳細な説明】
【技術分野】
【０００１】
本発明は、電磁障害を低減するためのシールドに関する。
【背景技術】
【０００２】
相互接続リンク（ケーブル等の形式）は、コンピュータ・システム、コンピュータ・システムの周辺デバイス、記憶システム、サーバ、ルータおよび他のデバイスなどの種々のタイプの電子デバイスを結合するために使用される。現在の電子デバイスは、高い周波数で動作し、データおよび制御情報を転送するためにケーブルを通して信号が交換される。放射電磁波を低減するために、通常、ケーブルは外部シールドにより遮へいされる。さらに、各デバイスにケーブルを接続するためのコネクタも、通常、放射電磁波を低減するために遮へいされる。放射電磁波に関する最も重要な問題は電磁障害（ＥＭＩ）の可能性である。
【０００３】
ケーブルは、コネクタ内の対応する接点（雄または雌）に接続する１本またはそれ以上のワイヤを含む。コネクタは、通常、接点を囲むためのハウジングまたはシェルを含む。コネクタの接点は、電子デバイスの外部シャーシ内に設置されているポート内の対応する接点（雄または雌）と係合するように設計される。通常、コネクタ・シェルは、ケーブルの外部シールドに電気的に接触している。また、コネクタがポートと係合すると、コネクタも電子デバイスのシャーシに電気的に接触する。その結果、あるデバイスまたはシステムのシャーシから他のデバイスまたはシステムのシャーシへほぼ連続的に遮へいが行われ、それにより容易にＥＭＩを低減することができる。
【発明の開示】
【発明が解決しようとする課題】
【０００４】
しかし、動作速度が低い場合にはうまく機能したコネクタのシールド設計も、高速の動作に対してはうまく機能しない。高速動作の場合には、信号の立上りおよび立下り時間が短くなり、それにより高い周波数での放射電磁波が増大する。その結果、コネクタが「漏洩を起こし易くなる」恐れがある。相互に多数の上記コネクタが接近して設置されている場合には、コネクタの「漏洩を起こす」シールドからの放射電磁波の問題が悪化する。このような現象は、時として多数のノードおよびデバイスを有するシステムで発生する。それ故、動作速度が引き続き増大し、電子装置および対応するコネクタの密度が増大すると、従来のコネクタ設計によるＥＭＩ保護はうまく機能しなくなる。
【課題を解決するための手段】
【０００５】
一般的に、電磁漏洩および電磁障害を低減するための改良形シールド組立体は、コネクタ用に設置される。例えば、シャーシのポートに結合しているコネクタと一緒に使用するためのシールド組立体は、コネクタを囲むことができるシュラウドを含む。シュラウドは、シャーシと電気的に接触するための導電性の第１の端部を有する。シュラウドは、また、コネクタから延びるケーブルを収容するための内部開口部を有するケーブル係合本体を有する。ケーブル係合本体は、ケーブルの外面と接触している内面を有する。
【０００６】
下記の説明、図面および特許請求の範囲を見れば、本発明の他のまたは代替機能を理解することができるだろう。
【発明を実施するための最良の形態】
【０００７】
以下の説明においては、本発明を理解してもらうために多数の詳細な点を説明する。しかし、当業者であれば、これらの詳細な点を使用しなくても、本発明を実施することができ、開示の実施形態を種々に変更したり、修正することができることを理解することができるだろう。
【０００８】
図１Ａは、ケーブル１８により複数のノード１４と相互に接続しているスイッチ１２を含む例示としてのシステム１０である。各ノード１４は、対応する記憶モジュール１６に接続している。各ケーブル１８の一方の端部は、コネクタ組立体２０に取り付けられていて、このコネクタ組立体は、スイッチ１２のハウジングまたはシャーシ上の対応するポート２２に取り付けられている。図１Ａの場合には、コネクタ組立体２０は、各ケーブル１８の一方の端部をスイッチ１２に接続している。各ケーブル１８の他の端部を各ノード１４に接続するために、同じコネクタ組立体２０を使用することができる。他の実施形態の場合には、図１Ｂに示すように、ノードを直接記憶モジュールに結合する代わりに、ノード１４および記憶モジュール１６の両方がスイッチ１２を通して接続している。さらに他の実施形態の場合には、図１Ｃに示すように、記憶モジュール１６は、ケーブル１８によりスイッチ１２に結合しているが、ノード１４は結合していない。
【０００９】
ある実施形態の例示としてのシステム１０は、ＮＣＲコーポレーションが市販しているＴＥＲＡＤＡＴＡ（登録商標）データベース・システムなどのデータベース・システムである。他の実施形態の場合には、他のタイプのシステムも、コネクタ組立体２０を使用することができる。各ノード１４は、記憶モジュール１６で使用することができる記憶空間の一部を管理する。複数のノード１４が、比較的大量（例えば、テラバイト）のデータを効率的に、迅速に処理することができる高性能のデータベース・システムを供給する大型の並列処理システムを形成する。それ故、図１Ａまたは図１Ｂの例の場合には、スイッチ１６の多数の接続により相互に比較的接近しているので、コネクタ組立体２０の密度は比較的高い。また、ケーブル１８が運ぶ信号の動作周波数は、比較的高い（例えば、ギガヘルツ範囲内）。動作周波数が高く、コネクタ組立体２０の密度が高いので、任意の電磁信号漏洩の全体的な量が増大する。
【００１０】
電磁信号の漏洩を低減するために、コネクタ組立体２０は、コネクタおよびケーブルの一部を囲む外部シュラウドまたはシールドを有する。コネクタ組立体２０からの漏洩を捕捉することにより電磁障害（ＥＭＩ）は低減する。
【００１１】
図２は、コネクタ組立体２０の詳細図である。コネクタ組立体２０は、ある実施形態の場合には、例えば、アルミニウム、銅、鋼鉄、ダイキャストで使用される導電性を有するようにコーティングされたプラスチック合金等のような金属材料から形成される外部シュラウド１００を含む。別の方法としては、シュラウド１００を任意の他の導体材料から形成することもできる。シュラウド１００は、それ自身をシールドすることができるコネクタ１０２を完全に囲んでいる（しかし、このような完全な包囲は本発明の目的のためには必要ない）。しかし、コネクタ１０２は「漏洩を起こす」コネクタである。すなわち、コネクタ１０２から電磁信号が漏洩している「許容できないもの」である。コネクタ１０２からの電磁信号の漏洩の量が「許容できないもの」であるかどうかは、コネクタ１０２が使用される用途および政府の規制要件により決まる。例えば、数個のコネクタが相互に接近して配置されている場合には、あるレベルの漏洩は許容できる。しかし、コネクタ１０２の密度がもっと高い場合には、同じレベルの漏洩は許容できないものになる。同様に、動作周波数も漏洩の量に影響を与える。動作周波数が高くなると漏洩が起こる可能性が高くなる。シュラウド１００は、漏洩を起こすコネクタ１０２からのすべての電磁信号漏洩に対してＥＭＩシールドとして機能する。
【００１２】
図の実施形態の場合には、シュラウド１００は、一般的に、ドーム型をしていて、コネクタ１０２が収容されるチャンバ１３０を形成する。他の実施形態の場合には、シュラウド１００がコネクタ１０２を囲むかカバーするようにチャンバ１３０を供給するような形をしている限り、シュラウド１００は任意の他の形をとることができる。他の形の例としては、長方形、円筒形等がある。同様に、別の方法としては、シュラウドは閉じ多角形の断面を有することができる。
【００１３】
ある実施形態の場合には、ネック部分１２０がシュラウド１００から延びている。ネック部分１２０は、コネクタ１０２の一方の端部１０３から延びているケーブル１８を収容するための開口部（または孔部）１２１を形成する。開口部または孔部１２１は、通常、円形、楕円形、長方形、正方形、または閉じ多角形を形成する他の形を含む任意の数の断面の形を有することができる。ネック部分１２０は、一般的に、ケーブル１８の形に対応する円筒形をしている。他の実施形態の場合には、ネック部分１２０は他の形をとることができる。
【００１４】
図の実施形態の場合には、ネック部分１２０は、シュラウド１００と一体に形成されている。別の方法としては、ネック部分１２０は、ネック部分１２０がシュラウド１００に取り付けられているか接着されているシュラウド１００とは別の部材になっている。ネック部分１２０は、また、導体材料から形成される。
【００１５】
ネック部分１２０により形成されている孔部１２１は、コネクタ１０２を囲んでいるチャンバ１３０の幅より狭い幅（Ｗ１で示す）を有する。以下の説明においては、孔部１２１は、一般的に、円筒形の形をしていると仮定し、その結果、孔部１２１の直径が決まる。しかし、直径は幅Ｗ１の特殊な場合であると理解されたい。ケーブルは、楕円形、長方形、または他の実施形態の場合、閉じ多角形を形成している他の断面を有することができる。
【００１６】
孔部１２１の直径は、ケーブル１８の直径とほぼ同じになるように選択される（孔部１２１の直径は、ケーブル１８の直径より少し大きい）。そのため、ネック部分１２０の内面は、ケーブル１８の外面と接触しているか、接近している。ネック部分１２０は、シュラウド１００の軸Ｚとして全体を示す縦軸に沿って長さＬを有する。以下にさらに説明するように、ネック部分１２０の内面をケーブル１８の導電シールドに接近させるか、接触させると、ケーブル１８内を電磁信号が通過するとき、ネック部分１２０とケーブル・シールドの間に容量性インピーダンスを供給することができる。ネック部分とケーブル・シールドとの間のインピーダンスは、ネック部分１２０とケーブル・シールド間のキャパシタンスに基づくものである。
【００１７】
図２は、（シュラウド１００の外部幅と比較した場合）狭い外部幅を有するネック部分１２０を示す。他の実施形態の場合には、シュラウド１００およびネック部分１２０は、一定の外部幅を有するハウジング（例えば、円筒ハウジング）から形成することができる。この場合、ハウジングは、チャンバ１３０および孔部１２１（チャンバ１３０の幅より狭い幅を有する）を形成する。もっと一般的には、孔部１２１を形成していて、ケーブル１８の外面を囲んでいるある部材の一部（シュラウド１００の一部となることができる）は、「ケーブル係合本体」と呼ばれる。ケーブル係合本体は、非常に種々の幾何学的形状を有することができる。
【００１８】
ある実施形態のシュラウド１００は、２つの部材１０１Ａおよび１０１Ｂからできていて、２つの部材１０１Ａ、１０１Ｂは、コネクタ１０２をカバーするために一緒に係合している。継目１０７は、２つのシュラウド部材１０１Ａ、１０１Ｂが係合している縁部を示す。シュラウド１００を２つの部材１０１Ａ、１０１Ｂから形成すると、コネクタ１０２およびケーブル１８を容易に囲むことができる。係合した後で２つの部材１０１Ａ、１０１Ｂがスリップするのを防止するために、第１および第２の係合プロファイルが相互に係合することができるように、一方の部材を第１の係合プロファイルを有するように形成し、他方の部材をある係合プロファイル（例えば、舌状プロファイルおよび溝状プロファイル）を有するように形成することができる。部材１０１Ａ、１０１Ｂ間の電気接続を確実に良好な状態に維持するために導電処理（例えば、ＥＭＩガスケット、導電フィルムまたはペイント等）を行うことができる。
【００１９】
コネクタ１０２の一方の端部１０３は、ケーブル１８に取り付けられる。コネクタ１０２の他方の端部１０５は、スイッチ１２のシャーシ・パネル１０８上に位置するポート２２を形成している構造１０９に接続している。他の例の場合には、ノード１４が直接記憶モジュール１６に接続している場合のように、シャーシ・パネル１０８を他のタイプのデバイスのシャーシの一部とすることができる。
【００２０】
図２の実施形態の場合には、フランジ１１０は、シャーシ・パネル１０８に最も近いシュラウド１００の端部のところに位置している。もう１つの実施形態の場合には、フランジ１１０は設置されていない。図２に示すように、取付け素子１１２が、フランジ１１０をシャーシ・パネル１０８に接続するために使用される。取付け素子１１２の例としては、ねじ、ボルト等がある。
【００２１】
図３に示すように、そうしたい場合には、ＥＭＩガスケット１１４を、シャーシ・パネル１０８とシュラウド１００のフランジ１１０との間に設置することができる。ＥＭＩガスケット１１４は、シャーシ１０８へのシュラウド１００の電気接触を改善し、シュラウド１００とシャーシ・パネル１０８との間の接点の縁部のところの電磁エネルギーの漏洩を低減する導体材料から形成される。ガスケット１１４を形成するために使用する材料の例としては、ベリリウム銅、導電エラストマ、ワイヤ・メッシュ等がある。別の方法としては、別個の部材にする代わりに、ＥＭＩガスケット１１４を、シャーシ・パネル１０８またはシュラウド１００のフランジ１１０上の導電コーティングとすることもできる。
【００２２】
コネクタ１０２は、導体材料からできている場合には、シャーシ・パネル１０８とコネクタ・ハウジング１３２の間で電気通信ができるように、ポート構造１０９と電気的に接触することができるハウジング１３２を有する。ある実施形態の場合には、コネクタ・ハウジング１３２は、Ｄ型シェル・コネクタを形成するためのＤ型のシェルである。他の実施形態の場合には、コネクタ１０２は、２０００年１０月付けのＩｎｆｉｎｉｂａｎｄ（商標）アーキテクチャ・リリース１．０、第２巻、「物理仕様」（Ｐｈｙｓｉｃａｌ  Ｓｐｅｃｉｆｉｃａｔｉｏｎｓ）に記載されているように、Ｉｎｆｉｎｉｂａｎｄ（商標）規格により定義されたケーブル・ポートにより係合できるようにすることができる。円形コネクタ、スナップイン・コネクタ等のような他の実施形態においては、他のタイプのコネクタを使用することができる。さらに他の実施形態の場合には、コネクタは、米国規格協会（ＡＮＳＩ）が規定するファイバ・チャネル規格によることもできる。
【００２３】
ある実施形態の場合には、コネクタ・ハウジング１３２も、ケーブル１８の外部ジャケット１３６内のケーブルのシールド１３４と電気的に接触している。１つまたはそれ以上の導体１３８は、ケーブル１８内を延びる。導体１３８は、１つまたはそれ以上の対応する接点１４０のところまで延びている。図３は、雄の接点１４０を示す。
【００２４】
シュラウド１００（ケーブル係合本体１２０を含む）は、効果的に、シャーシ・パネル１０８と電気的に接触するように、また、容量接続を通してケーブル・シールド１３４に接触するように構成される金属ファラデー・ケージ遮へいを供給する。他の実施形態の場合には、容量接続の代わりに、ケーブル係合本体１２０とケーブル・シールド１３４との間を直接電気的に接続することができる。ケージは、シャーシ・パネル１０８に電気的に接触することにより、またケーブル・シールド１３４で（容量または電気）接続を形成することにより、漏洩コネクタ１０２を完全に囲んでいる。そのため、コネクタ１０２からのすべての電磁信号漏洩に対して効果的なＥＭＩシールドが行われる。図２および図３のアプローチの１つの利点は、ＥＭＩシールドを改善するのに、（ある実施形態に従って）コネクタ１０２およびケーブル１８を変更する必要がないことである。その結果、工業規格のケーブルおよびコネクタを使用することができるので、コストの低減および部材の利用度の向上を容易に行うことができることである。もちろん、他の実施形態の場合には、そうしたい場合には、コネクタおよびケーブルの設計を変更することができる。
【００２５】
図４は、ケーブル１８およびシュラウド１００のネック部分１２０の断面図である。ネック部分１２０は、図４の断面図内の組立体の一番外側の層を形成している。ケーブル１８は、外部絶縁ジャケット１３６、ケーブル・シールド１３４（例えば、編組（ｂｒａｉｄ）または他のタイプのシールド）、および内部導体１３８を含む。図５は、図４の断面の略図である。この図の場合、ネック部分１２０およびケーブル・シールド１３４は、コンデンサ２１０のプレートを形成している。ネック部分１２０とケーブル・シールド２０２との間のコンデンサ２１０の単位長さ当たりのキャパシタンス（Ｃ／Ｌ）は、２つの同心円筒形間のキャパシタンスを計算するための下式により推定される。
【００２６】
【数１】
2005510008.tif 000003
【００２７】
ここで、Ｌは、ネック部分１２０の長さであり、パラメータεは、２つの同心円筒形間の誘電体（絶縁ジャケット２００）の誘電率であり、「ａ」は、ネック部分１２０の内径であり、「ｂ」は、ケーブル・シールド２０２の外径である。コンデンサ２１０による容量接続のリアクタンスＸｃは、式２により計算することができる。
【００２８】
【数２】
2005510008.tif 000004
【００２９】
ここで、ｆは、ケーブル１８を流れる信号の周波数である。
【００３０】
それ故、ある例の場合、ケーブル・シールド１３４の外径が約０．１７１インチ（０．４３ｃｍ）の組立体の場合には、ネック部分１２０の内径は約０．２１インチ（０．５３ｃｍ）であり、絶縁ジャケット１３６を形成している誘電体の誘電率は、約２．２５であり、コンデンサ２１０の長さ当たりのキャパシタンス（Ｃ／Ｌ）は、１インチ（２．５４ｃｍ）当たり約１２７ピコファラッド（ｐＦ／ｉｎ）である。もっと大きい外径を有するケーブルの場合には、全キャパシタンスは増大する。下記のテーブル１は、この例の場合の異なる周波数に対する容量性リアクタンスＸｃを示す。
【００３１】
【表１】
2005510008.tif 000005
【００３２】
上記テーブル１を見れば分かるように、ある実施形態の場合には、シュラウド１００は、約２ＧＨｚより高い周波数で、有効な非接触シールド効果をあげる。
【００３３】
さらに、ケーブル１８の周囲でネック部分１２０に連続容量接続を行うことにより、ネック１２０のインダクタンスを低減することができる。ネック部分１２０のインダクタンスは、シャーシ・パネルとケーブル・シールドとの間の全インピーダンスを増大するので、ネック部分１２０の効果が低減する。図２に示すように、円周の周囲に連続接続を行うと、このインダクタンスは低減する。
【００３４】
図６は、ネック部分１２０Ａの内面から突き出ているスパイク３００を有するネック部分１２０Ａを有するシュラウド１００の他の実施形態である。スパイク３００は、ケーブル・シールド１３４と電気的に接触するよう、外部絶縁ジャケット１３６を貫通するように設計されている。その結果、ケーブル・シールド１３４とネック部分１２０との間は電気的に直接接触し、それによりシュラウド１００とケーブル・シールド１３４との間のインピーダンスはさらに低減する。
【００３５】
さらに他の実施形態の場合には、図７に示すように、ネック部分１２０とケーブル・シールド１３４とが直接接触するように、ケーブル１８の絶縁ジャケット１３６を除去することができる。
【００３６】
限られた数の実施形態を参照しながら本発明を説明してきたが、当業者であればこれらの実施形態から多くの変更および変形を思いつくことができるだろう。添付の特許請求の範囲は、このような変更および変形を本発明の真の精神および範囲に含まれるものとしてカバーするものである。
【図面の簡単な説明】
【００３７】
【図１】本発明のいくつかの実施形態によるコネクタ組立体が使用される例示としてのシステムのブロック図である。
【図２】本発明のある実施形態によるシールドを有するコネクタ組立体の斜視図である。
【図３】図２のコネクタ組立体の縦断面図である。
【図４】図２のシールドのネック部分の断面図であり、ネック部分内に配置されたケーブルである。
【図５】組立体が形成するコンデンサを示すネック部分およびケーブルの略図である。
【図６】ネック部分およびケーブルの他の実施形態の断面図である。
【図７】ネック部分およびケーブルの他の実施形態の断面図である。
【図１】
2005510008.tif 000006
【図２】
2005510008.tif 000007
【図３】
2005510008.tif 000008
【図４】
2005510008.tif 000009
【図５】
2005510008.tif 000010
【図６】
2005510008.tif 000011
【図７】
2005510008.tif 000012
【国際調査報告】
2005510008.tif 000013
2005510008.tif 000014